【手続補正書】
【提出日】平成16年11月22日(2004.11.22)
【手続補正１】
【補正対象書類名】明細書
【補正対象項目名】特許請求の範囲
【補正方法】変更
【補正の内容】
【特許請求の範囲】
【請求項１】
マルチチャンネルの音声データ及び該音声データの再生に必要な補助データを送信する送信装置と、該送信装置から送信された音声データ及び補助データを受信する受信装置とを備えた伝送システムであって、
上記補助データは、上記音声データのチャンネル割り当て情報を含む、
ことを特徴とする伝送システム。
【請求項２】
請求項１記載の伝送システムにおいて、
上記補助データは、さらに、標本化周波数情報を含む、
ことを特徴とする伝送システム。
【請求項３】
請求項１記載の伝送システムにおいて、
上記補助データは、さらに、量子化ビット数情報を含む、
ことを特徴とする伝送システム。
【請求項４】
請求項１記載の伝送システムにおいて、
上記音声データのチャンネル割り当て情報が、ＤＶＤ−Ａｕｄｉｏ規格によるものである、
ことを特徴とする伝送システム。
【請求項５】
請求項１記載の伝送システムにおいて、
上記送信装置は、
音声データに補助データを多重化し、多重化データを作成する多重化手段を備え、
上記受信装置は、
上記送信装置から送信された多重化データを受信し、音声データと補助データに分離する分離手段を備えた、
ことを特徴とする伝送システム。
【請求項６】
請求項１記載の伝送システムにおいて、
上記送信装置は、異なる標本化周波数からなる音声データを上記受信装置に送信するとき、時間的に早く発生する音声データから多重化して送信する、
ことを特徴とする伝送システム。
【請求項７】
請求項１記載の伝送システムにおいて、
上記音声データ及び上記補助データの伝送方法は、当該データを伝送フレームに時分割し、
上記音声データの伝送に対しては、各伝送フレームで一定のビットが割り当てられる、
ことを特徴とする伝送システム。
【請求項８】
請求項１記載の伝送システムにおいて、
上記音声データ及び上記補助データの伝送方式が、ＭＯＳＴ方式に従う、
ことを特徴とする伝送システム。
【請求項９】
デジタルデータ及び該デジタルデータの再生に必要な補助データを送信する送信装置と、上記送信装置から送信されたデジタルデータ及び補助データを受信する受信装置とを備えた伝送システムであって、
上記送信装置は、
デジタルデータに補助データを多重化し、所定の暗号化単位の倍数であるｎ個のフレームから構成されるブロックデータを作成する多重化手段と、
上記ブロックデータを上記所定の暗号化単位で暗号化し、暗号化データを作成する暗号化手段とを備え、
上記受信装置は、
上記送信装置から送信された暗号化データを復号化する復号化手段と、
該復号化手段で復号化されたブロックデータをデジタルデータと補助データに分離する分離手段とを備えた、
ことを特徴とする伝送システム。
【請求項１０】
請求項９記載の伝送システムにおいて、
上記所定の暗号化単位は８バイトである、
ことを特徴とする伝送システム。
【請求項１１】
請求項９記載の伝送システムにおいて、
上記フレームを構成する各チャンネルにおける量子化ビット数が、各チャンネル毎にそれぞれ規定されている、
ことを特徴とする伝送システム。
【請求項１２】
請求項９記載の伝送システムにおいて、
上記ブロックデータを構成するフレームには、同期のための信号（ｓｙｎｃ）と、暗号化モードを表示するデータ（ＥＭＩ）と、暗号化の鍵を切り替えるためのデータ（ＯＥ）とが、多重化されている、
ことを特徴とする伝送システム。
【請求項１３】
請求項１２記載の伝送システムにおいて、
上記同期のための信号（ｓｙｎｃ）、暗号化モードを表示するデータ（ＥＭＩ）、及び暗号化の鍵を切り替えるためのデータ（ＯＥ）の多重化は、非暗号化領域において行われる、
ことを特徴とする伝送システム。
【請求項１４】
請求項９から請求項１３の何れかに記載の伝送システムにおいて、
上記多重化手段は、
上記ブロックデータ内の複数のフレームに、上記デジタルデータに関する著作権の保護情報である著作権保護情報を多重化する、
ことを特徴とする伝送システム。
【請求項１５】
請求項１４記載の伝送システムにおいて、
上記著作権保護情報は、それが多重化された先頭フレームに、少なくともデジタルデータのコピー可否を示すコピー許可情報を含む、
ことを特徴とする伝送システム。
【請求項１６】
請求項１４記載の伝送システムにおいて、
上記著作権保護情報は、
デジタルデータのコピー可否を示すコピー許可情報と、コピーを許可するときに何回コピーを許可するかを示すコピー回数情報と、コピーを許可するときのコピーの品質を示すコピー品質情報と、特別なオーディオのアクセス制御を行うかどうかを示すオーディオ処理情報とを含む、
ことを特徴とする伝送システム。
【請求項１７】
請求項９から請求項１３の何れかに記載の伝送システムにおいて、
上記デジタルデータ及び上記補助データの伝送方式は、当該データを伝送フレームに時分割し、
上記デジタルデータ及び上記補助データの伝送に対しては、各伝送フレームで一定のビットが割り当てられる、
ことを特徴とする伝送システム。
【請求項１８】
請求項９から請求項１３の何れかに記載の伝送システムにおいて、
上記デジタルデータ及び上記補助データの伝送方式が、ＭＯＳＴ方式に従う、
ことを特徴とする伝送システム。
【請求項１９】
音声データ及び該音声データに関する著作権の保護情報である著作権保護情報を入力し、８個の伝送フレームを１周期とする周期信号を生成する送信装置であって、
上記周期信号に同期して著作権保護情報を多重する第１の多重化手段と、
上記周期信号に同期して暗号化を行う暗号化手段と、
上記周期信号に同期して該周期信号に関する情報を示す周期情報を多重する第２の多重化手段とを備える、
ことを特徴とする送信装置。
【請求項２０】
請求項１９記載の送信装置において、
データの伝送方式がＭＯＳＴ方式に従う、
ことを特徴とする送信装置。
【請求項２１】
音声データ及び該音声データに関する著作権の保護情報である著作権保護情報を入力し、８個の伝送フレームを１周期とする周期信号を生成する送信装置から、上記音声データ及び上記著作権保護情報を受信する受信装置であって、
受信したデータから検出した、上記周期信号に関する情報である周期情報をもとに周期信号を生成する第１の分離手段と、
上記周期信号に同期して復号化を行う復号化手段と、
上記周期信号に同期して上記著作権保護情報を分離する第２の分離手段とを備える、
ことを特徴とする受信装置。
【請求項２２】
請求項２１記載の受信装置において、
データの伝送方式がＭＯＳＴ方式に従う、
ことを特徴とする受信装置。
【手続補正２】
【補正対象書類名】明細書
【補正対象項目名】００２１
【補正方法】変更
【補正の内容】
【００２１】
本発明の請求項１１に係る伝送システムは、請求項９記載の伝送システムにおいて、上記フレームを構成する各チャンネルにおける量子化ビット数が、各チャンネル毎にそれぞれ規定されている、ことを特徴とするものである。
本発明の請求項１２に係る伝送システムは、請求項９記載の伝送システムにおいて、上記ブロックデータを構成するフレームには、同期のための信号（ｓｙｎｃ）と、暗号化モードを表示するデータ（ＥＭＩ）と、暗号化の鍵を切り替えるためのデータ（ＯＥ）とが、多重化されている、ことを特徴とするものである。
本発明の請求項１３に係る伝送システムは、請求項１２記載の伝送システムにおいて、上記同期のための信号（ｓｙｎｃ）、暗号化モードを表示するデータ（ＥＭＩ）、及び暗号化の鍵を切り替えるためのデータ（ＯＥ）の多重化は、非暗号化領域において行われる、ことを特徴とするものである。
本発明の請求項１４に係る伝送システムは、請求項９から請求項１３の何れかに記載の伝送システムにおいて、上記多重化手段は、上記ブロックデータ内の複数のフレームに、上記デジタルデータに関する著作権の保護情報である著作権保護情報を多重化する、ことを特徴とするものである。
【手続補正３】
【補正対象書類名】明細書
【補正対象項目名】００２２
【補正方法】変更
【補正の内容】
【００２２】
本発明の請求項１５に係る伝送システムは、請求項１４記載の伝送システムにおいて、上記著作権保護情報は、それが多重化された先頭フレームに、少なくともデジタルデータのコピー可否を示すコピー許可情報を含む、ことを特徴とするものである。
【手続補正４】
【補正対象書類名】明細書
【補正対象項目名】００２３
【補正方法】変更
【補正の内容】
【００２３】
本発明の請求項１６に係る伝送システムは、請求項１４記載の伝送システムにおいて、
上記著作権保護情報は、デジタルデータのコピー可否を示すコピー許可情報と、コピーを許可するときに何回コピーを許可するかを示すコピー回数情報と、コピーを許可するときのコピーの品質を示すコピー品質情報と、特別なオーディオのアクセス制御を行うかどうかを示すオーディオ処理情報とを含む、ことを特徴とするものである。
【手続補正５】
【補正対象書類名】明細書
【補正対象項目名】００２４
【補正方法】変更
【補正の内容】
【００２４】
本発明の請求項１７に係る伝送システムは、請求項９から請求項１３の何れかに記載の伝送システムにおいて、上記デジタルデータ及び上記補助データの伝送方式は、当該データを伝送フレームに時分割し、上記デジタルデータ及び上記補助データの伝送に対しては、各伝送フレームで一定のビットが割り当てられることを特徴とするものである。
【手続補正６】
【補正対象書類名】明細書
【補正対象項目名】００２５
【補正方法】変更
【補正の内容】
【００２５】
本発明の請求項１８に係る伝送システムは、請求項９から請求項１３の何れかに記載の伝送システムにおいて、上記デジタルデータ及び上記補助データの伝送方式が、ＭＯＳＴ方式に従うことを特徴とするものである。
【手続補正７】
【補正対象書類名】明細書
【補正対象項目名】００２６
【補正方法】変更
【補正の内容】
【００２６】
本発明の請求項１９に係る送信装置は、音声データ及び該音声データに関する著作権の保護情報である著作権保護情報を入力し、８個の伝送フレームを１周期とする周期信号を生成する送信装置であって、上記周期信号に同期して著作権保護情報を多重する第１の多重化手段と、上記周期信号に同期して暗号化を行う暗号化手段と、上記周期信号に同期して該周期信号に関する情報を示す周期情報を多重する第２の多重化手段とを備えることを特徴とするものである。
【手続補正８】
【補正対象書類名】明細書
【補正対象項目名】００２７
【補正方法】変更
【補正の内容】
【００２７】
本発明の請求項２０に係る送信装置は、請求項１９記載の送信装置において、データの伝送方式がＭＯＳＴ方式に従うことを特徴とするものである。
【手続補正９】
【補正対象書類名】明細書
【補正対象項目名】００２８
【補正方法】変更
【補正の内容】
【００２８】
本発明の請求項２１に係る受信装置は、音声データ及び該音声データに関する著作権の保護情報である著作権保護情報を入力し、８個の伝送フレームを１周期とする周期信号を生成する送信装置から、上記音声データ及び上記著作権保護情報を受信する受信装置であって、受信したデータから検出した、上記周期信号に関する情報である周期情報をもとに周期信号を生成する第１の分離手段と、上記周期信号に同期して復号化を行う復号化手段と、上記周期信号に同期して上記著作権保護情報を分離する第２の分離手段とを備えることを特徴とするものである。
【手続補正１０】
【補正対象書類名】明細書
【補正対象項目名】００２９
【補正方法】変更
【補正の内容】
【００２９】
本発明の請求項２２に係る受信装置は、請求項２１記載の受信装置において、データの伝送方式がＭＯＳＴ方式に従うことを特徴とするものである。
【手続補正１１】
【補正対象書類名】明細書
【補正対象項目名】００９２
【補正方法】変更
【補正の内容】
【００９２】
本発明の請求項９、請求項１１、請求項１２、請求項１３に係る伝送システムによれば、デジタルデータ及び該デジタルデータの再生に必要な補助データを送信する送信装置と、上記送信装置から送信されたデジタルデータ及び補助データを受信する受信装置とを備えた伝送システムであって、上記送信装置は、デジタルデータに補助データを多重化し、所定の暗号化単位の倍数であるｎ個のフレームから構成されるブロックデータを作成する多重化手段と、上記ブロックデータを上記所定の暗号化単位で暗号化し、暗号化データを作成する暗号化手段とを備え、上記受信装置は、上記送信装置から送信された暗号化データを復号化する復号化手段と、該復号化手段で復号化されたブロックデータをデジタルデータと補助データに分離する分離手段とを備えた構成としたので、著作権保護対策の適用に際して、各ブロックデータに含まれるデジタルデータの長さに関わらず最後のバイトまで暗号化を施すことができるという効果を有する。
【手続補正１２】
【補正対象書類名】明細書
【補正対象項目名】００９４
【補正方法】変更
【補正の内容】
【００９４】
本発明の請求項１４に係る伝送システムによれば、請求項９から請求項１３の何れかに記載の伝送システムにおいて、上記多重化手段は、上記ブロックデータ内の複数のフレームに、上記デジタルデータに関する著作権の保護情報である著作権保護情報を多重化するので、より少ない帯域で著作権保護情報の伝送が可能になる。
【手続補正１３】
【補正対象書類名】明細書
【補正対象項目名】００９５
【補正方法】変更
【補正の内容】
【００９５】
本発明の請求項１５に係る伝送システムによれば、請求項１４記載の伝送システムにおいて、上記著作権保護情報は、それが多重化された先頭フレームに、少なくともデジタルデータのコピー可否を示すコピー許可情報を含むので、受信側でデジタルデータをどのように処理すれば良いかを早く決定することができるという効果を有する。
【手続補正１４】
【補正対象書類名】明細書
【補正対象項目名】００９６
【補正方法】変更
【補正の内容】
【００９６】
本発明の請求項１６に係る伝送システムによれば、請求項１４記載の伝送システムにおいて、上記著作権保護情報は、デジタルデータのコピー可否を示すコピー許可情報と、コピーを許可するときに何回コピーを許可するかを示すコピー回数情報と、コピーを許可するときのコピーの品質を示すコピー品質情報と、特別なオーディオのアクセス制御を行うかどうかを示すオーディオ処理情報とを含むので、受信側でデジタルデータをどのように処理すれば良いかを早く決定することができるという効果を有する。
【手続補正１５】
【補正対象書類名】明細書
【補正対象項目名】００９７
【補正方法】変更
【補正の内容】
【００９７】
本発明の請求項１７に係る伝送システムによれば、請求項９から請求項１３の何れかに記載の伝送システムにおいて、上記デジタルデータ及び上記補助データの伝送方式は、当該データを伝送フレームに時分割し、上記デジタルデータ及び上記補助データの伝送に対しては、各伝送フレームで一定のビットが割り当てられるので、固定長フレームを用いた伝送路において、マルチチャンネル音声データの効率のよい伝送を行い、音声データの著作権保護対策を施すことができる。
【手続補正１６】
【補正対象書類名】明細書
【補正対象項目名】００９８
【補正方法】変更
【補正の内容】
【００９８】
本発明の請求項１８に係る伝送システムによれば、請求項９から請求項１３の何れかに記載の伝送システムにおいて、上記デジタルデータ及び上記補助データの伝送方式が、ＭＯＳＴ方式に従うようにしたので、固定長フレームを用いた伝送路において、マルチチャンネル音声データの効率のよい伝送を行い、音声データの著作権保護対策を施すことができる。
【手続補正１７】
【補正対象書類名】明細書
【補正対象項目名】００９９
【補正方法】変更
【補正の内容】
【００９９】
本発明の請求項１９に係る送信装置は、音声データ及び該音声データに関する著作権の保護情報である著作権保護情報を入力し、８個の伝送フレームを１周期とする周期信号を生成する送信装置であって、上記周期信号に同期して著作権保護情報を多重する第１の多重化手段と、上記周期信号に同期して暗号化を行う暗号化手段と、上記周期信号に同期して該周期信号に関する情報を示す周期情報を多重する第２の多重化手段とを備えるものとしたので、音声データのクロック変換を行う必要がなく、回路構成を小さくすることができ、さらに、音声品質の劣化を防ぐことができる。
【手続補正１８】
【補正対象書類名】明細書
【補正対象項目名】０１００
【補正方法】変更
【補正の内容】
【０１００】
本発明の請求項２０に係る送信装置は、請求項１９記載の送信装置において、データの伝送方式がＭＯＳＴ方式に従うようにしたので、固定長フレームを用いた伝送路において、マルチチャンネル音声データの効率のよい伝送を行い、音声データの著作権保護対策を施すことができる。
【手続補正１９】
【補正対象書類名】明細書
【補正対象項目名】０１０１
【補正方法】変更
【補正の内容】
【０１０１】
本発明の請求項２１に係る受信装置は、音声データ及び該音声データに関する著作権の保護情報である著作権保護情報を入力し、８個の伝送フレームを１周期とする周期信号を生成する送信装置から、上記音声データ及び上記著作権保護情報を受信する受信装置であって、受信したデータから検出した、上記周期信号に関する情報である周期情報をもとに周期信号を生成する第１の分離手段と、上記周期信号に同期して復号化を行う復号化手段と、上記周期信号に同期して上記著作権保護情報を分離する第２の分離手段とを備えるものとしたので、音声データのクロック変換を行う必要がなく、回路構成を小さくすることができ、さらに、音声品質の劣化を防ぐことができる。
【手続補正２０】
【補正対象書類名】明細書
【補正対象項目名】０１０２
【補正方法】変更
【補正の内容】
【０１０２】
本発明の請求項２２に係る受信装置は、請求項２１記載の受信装置において、データの伝送方式がＭＯＳＴ方式に従うようにしたので、固定長フレームを用いた伝送路において、マルチチャンネル音声データの効率のよい伝送を行い、音声データの著作権保護対策を施すことができる。